(57)【要約】【課題】短時間のうちに施設に影響を与えることなく原子炉圧力容器を交換し得るようにする。【解決手段】既存の原子炉遮蔽壁の上部と原子炉圧力容器を撤去して、新たな原子炉圧力容器３４と原子炉遮蔽壁上部３５を一体的に原子炉格納容器１の内部へ搬入する際に、原子炉遮蔽壁上部３５を下部ノズル開口部の上辺位置まで形成し、原子炉遮蔽壁下部３６の上に仮受材３７を介して原子炉遮蔽壁上部３５を仮り受させ、両者を位置合せさせてから、現場で原子炉遮蔽壁上部３５と原子炉遮蔽壁下部３６との間に接続壁部を取付けて下部ノズル開口部を形成する。【選択図】図１
2004085582.tif 000002
【特許請求の範囲】
【請求項１】
　圧力容器本体（１３）の外周を包囲している原子炉遮蔽壁（６）を下部ノズル開口部（８）の下辺位置（イ）で切断し、原子炉遮蔽壁（６）の上部と原子炉圧力容器（４）を撤去し、新たな原子炉圧力容器（３４）と原子炉遮蔽壁上部（３５）を一体的に原子炉格納容器１の内部へ搬入する際に、原子炉遮蔽壁上部（３５）を下部ノズル開口部（８）の上辺位置（ロ）まで形成し、原子炉遮蔽壁下部（３６）の上に仮受材（３７）を介して原子炉遮蔽壁上部（３５）を仮り受させ、両者を位置合せさせてから、現場で原子炉遮蔽壁上部（３５）と原子炉遮蔽壁下部（３６）との間に接続壁部（３８）を取付けて下部ノズル開口部（８）を形成することを特徴とする原子炉圧力容器搬入方法。
【発明の詳細な説明】
【技術分野】
【０００１】
　本発明は、原子炉圧力容器搬入方法に関するものである。より詳しくは、短時間のうちに施設に影響を与えることなく原子炉圧力容器を交換し得るようにした原子炉圧力容器搬入方法に関するものである。
【背景技術】
【０００２】
　原子力発電施設は、予め耐用年数を決めて設計されており、所定の耐用年数が経過すると、施設は破棄されることになる。
【０００３】
　しかし、原子力発電施設は、実際には、決められた耐用年数に対して十分な余裕を持っているので、寿命の尽きた部品のみを交換することにより、原子力発電施設の延命を図ることが可能である。
【０００４】
　そのため、寿命の尽きた部品を交換する技術を確立する必要があるが、この場合の交換すべき部品の代表的なものとしては、原子炉圧力容器などが挙げられる。
【０００５】
　しかるに、現在のところ、原子炉圧力容器を交換した実例はまだ存在せず、交換技術は確立されていない。
【発明の開示】
【発明が解決しようとする課題】
【０００６】
　寿命の尽きた原子炉圧力容器を原子力発電施設から搬出した後、新しい原子炉圧力容器を搬入する場合、施設の既存部分に影響を与えずに、いかに短時間に施設の内部へ搬入するかが重要になる。
【０００７】
　本発明は、上述の実情に鑑み、短時間のうちに施設に影響を与えることなく原子炉圧力容器を交換し得るようにした原子炉圧力容器搬入方法を提供することを目的とするものである。
【課題を解決するための手段】
【０００８】
　上記目的を達成するために、本発明は、圧力容器本体１３の外周を包囲している原子炉遮蔽壁６を下部ノズル開口部８の下辺位置イで切断し、原子炉遮蔽壁６の上部と原子炉圧力容器４を撤去し、新たな原子炉圧力容器３４と原子炉遮蔽壁上部３５を一体的に原子炉格納容器１の内部へ搬入する際に、原子炉遮蔽壁上部３５を下部ノズル開口部８の上辺位置ロまで形成し、原子炉遮蔽壁下部３６の上に仮受材３７を介して原子炉遮蔽壁上部３５を仮り受させ、両者を位置合せさせてから、現場で原子炉遮蔽壁上部３５と原子炉遮蔽壁下部３６との間に接続壁部３８を取付けて下部ノズル開口部８を形成する。
【０００９】
　予め、新たな原子炉圧力容器３４に原子炉遮蔽壁上部３５を一体に取付けたものを用意しておき、寿命の尽きた原子炉圧力容器４などをクレーンなどで搬出した後、用意しておいた新たな原子炉圧力容器３４を原子炉遮蔽壁上部３５と一体的に図示しないクレーンなどで搬入して、残された原子炉遮蔽壁下部３６と、搬入した原子炉遮蔽壁上部３５とを接合して、原子炉遮蔽壁６を作るようにする。
【００１０】
　この際、新たな原子炉圧力容器３４と一体に搬入する原子炉遮蔽壁上部３５と、残された原子炉遮蔽壁下部３６との間に取合いの問題が生じるので、搬入する原子炉遮蔽壁上部３５は、破線ロで示す下部ノズル開口部８の上辺位置よりも上のものとし、残された原子炉遮蔽壁下部３６との間に、仮受材３７を設置して、原子炉遮蔽壁下部３６と原子炉遮蔽壁上部３５を位置合せをしてから、下部ノズル１２間の接続壁部３８を現場で作ってつなげるようにする。
【００１１】
　又、仮受材３７の設置位置は、下部ノズル開口部８に相当する位置における、下部ノズル１２の両側位置となるようにする。
【００１２】
　このように、新たな原子炉圧力容器３４と原子炉遮蔽壁上部３５とを一体に搬入させることにより、工程を省略して短時間のうちに搬入作業を行わせることが可能となる。
【００１３】
　又、原子炉格納容器１内に残される原子炉遮蔽壁下部３６を下部ノズル開口部８の下辺位置イで切断し、搬入される原子炉遮蔽壁上部３５を下部ノズル開口部８の上辺位置ロまで形成し、原子炉遮蔽壁下部３６の上に仮受材３７を介して原子炉遮蔽壁上部３５を仮り受させ、両者を位置合せさせてから、現場で原子炉遮蔽壁上部３５と原子炉遮蔽壁下部３６との間の接続壁部３８を取付けることにより、原子炉遮蔽壁上部３５と、残された原子炉遮蔽壁下部３６との間を現場で接合する際の取合いの問題を解消することができる。
【発明の効果】
【００１４】
　本発明の原子炉圧力容器搬入方法によれば、短時間のうちに施設に影響を与えることなく原子炉圧力容器を交換することができるという優れた効果を奏し得る。
【発明を実施するための最良の形態】
【００１５】
　以下、本発明の実施の形態を、図示例と共に説明する。
【００１６】
　図１〜図３は、本発明の実施の形態の一例である。
【００１７】
　図中、１は原子炉格納容器、２は原子炉格納容器１上部の建屋部、３は原子炉格納容器１下部のドライウエル部、４は原子炉格納容器１内部に収容される原子炉圧力容器、５はドライウエル部３に設けられた、原子炉圧力容器４の下部を支持するためのペデスタル、６はペデスタル５に下部を支持されて、原子炉圧力容器４の外周を包囲するよう設けられた原子炉遮蔽壁、７は原子炉遮蔽壁６の上部に周方向複数箇所形成された上部ノズル開口部、８は原子炉遮蔽壁６の下部に周方向複数箇所形成された下部ノズル開口部、９は原子炉圧力容器４の上部を図示しないベローズを介して原子炉格納容器１に接続するためのバルクヘッド部である。
【００１８】
　そして、上記原子炉圧力容器４は、下部に制御棒を出し入れするためのＣＲＤハウジング１０を有し、前記上部ノズル開口部７や下部ノズル開口部８に対応する側部にそれぞれ上部ノズル１１や下部ノズル１２を有する圧力容器本体１３と、複数のノズル１４を有する蓋体１５と、圧力容器本体１３と蓋体１５とを締結するスタッドボルト１６とで構成されている。
【００１９】
　又、圧力容器本体１３内の下部には、シュラウド１７と呼ばれる筒状体が取付けられており、シュラウド１７の上部に取付けられた上部格子板１８と中間部に取付けられた炉心支持板１９との間に炉心域２０が形成されている。
【００２０】
　尚、図中、２１，２２は上部ノズル開口部７や下部ノズル開口部８をそれぞれ閉止するための開口閉止板、２３は圧力容器本体１３と原子炉遮蔽壁６上部とを固定する固定ボルト、２５は圧力容器本体１３の上部空間、２９は蓋体１５に取付ける圧力容器本体１３を吊り上げるための吊部材、３４は新たな原子炉圧力容器、３５は原子炉遮蔽壁上部である。
【００２１】
　次に、作動について説明する。
【００２２】
　原子炉格納容器１から原子炉圧力容器４を取り出す場合、原子炉圧力容器４に取付けられた上部ノズル１１や下部ノズル１２やＣＲＤハウジング１０と、外部の機器類との縁を切り、上部ノズル１１や下部ノズル１２やＣＲＤハウジング１０の開口部を閉止し、上部ノズル開口部７や下部ノズル開口部８をそれぞれ開口閉止板２１，２２で閉止すると共に、図２に破線イで示すように、原子炉遮蔽壁６を下部ノズル開口部８の下辺位置で切断し、図示しないクレーンなどを用いて、原子炉遮蔽壁６の上部と圧力容器本体１３を外部へ搬出する。
【００２３】
　又、予め、新たな原子炉圧力容器３４に原子炉遮蔽壁上部３５を一体に取付けたものを用意しておき、これをクレーンなどで搬入して、残された原子炉遮蔽壁下部３６と搬入した原子炉遮蔽壁上部３５とを接合して、原子炉遮蔽壁６を作るようにする。
【００２４】
　この際、新たな原子炉圧力容器３４と一体に搬入する原子炉遮蔽壁上部３５と、残された原子炉遮蔽壁下部３６との間に取合いの問題が生じるので、搬入する原子炉遮蔽壁上部３５は、図２に破線ロで示す下部ノズル開口部８の上辺位置よりも上のものとし、残された原子炉遮蔽壁下部３６との間に、仮受材３７を設置して、原子炉遮蔽壁下部３６と原子炉遮蔽壁上部３５を位置合せをしてから、下部ノズル１２間の接続壁部３８を現場で作ってつなげるようにする。
【００２５】
　又、仮受材３７の設置位置は、下部ノズル開口部８に相当する位置における、下部ノズル１２の両側位置となるようにする。
【００２６】
　このように、新たな原子炉圧力容器３４と原子炉遮蔽壁上部３５とを一体に搬入させることにより、工程を省略して短時間のうちに搬入作業を行わせることが可能となる。
【００２７】
　又、原子炉格納容器１内に残される原子炉遮蔽壁下部３６を下部ノズル開口部８の下辺位置イで切断し、搬入される原子炉遮蔽壁上部３５を下部ノズル開口部８の上辺位置ロまで形成し、原子炉遮蔽壁下部３６の上に仮受材３７を介して原子炉遮蔽壁上部３５を仮り受させ、両者を位置合せさせてから、現場で原子炉遮蔽壁上部３５と原子炉遮蔽壁下部３６との間の接続壁部３８を取付けることにより、原子炉遮蔽壁上部３５と、残された原子炉遮蔽壁下部３６との間を現場で接合する際の取合いの問題を解消することができる。
【００２８】
　尚、本発明は、上述の実施の形態にのみ限定されるものではなく、本発明の要旨を逸脱しない範囲内において種々変更を加え得ることは勿論である。
【図面の簡単な説明】
【００２９】
【図１】本発明の実施の形態の一例を示す全体概略側方断面図である。
【図２】原子炉遮蔽壁の部分的な展開図である。
【図３】既存の原子炉圧力容器を示す全体概略側方断面図である。
【符号の説明】
【００３０】
　１　　原子炉格納容器
　４　　原子炉圧力容器
　６　　原子炉遮蔽壁
　８　　下部ノズル開口部
　１３　圧力容器本体
　３４　新たな原子炉圧力容器
　３５　原子炉遮蔽壁上部
　３６　原子炉遮蔽壁下部
　３７　仮受材
　３８　接続壁部
　イ　　下辺位置
　ロ　　上辺位置
【図１】
2004085582.tif 000003
【図２】
2004085582.tif 000004
【図３】
2004085582.tif 000005